(57)【要約】【課題】利便性およびデザイン性に優れ、さらに防犯機能と居住性を向上させることができる、カーポート付き住宅を提供すること。【解決手段】上階と下階を有する建物の上階の直下に設けられたカーポートスペースＫであって、上階の外壁のうち、カーポートスペースＫ上の外壁部分が張り出し外壁５に形成され、下階の外壁のうち、張り出し外壁５に対応する外壁部分が引き込み外壁４に形成され、カーポートスペースＫに隣接して第１の玄関扉４０を備えた玄関４０ａが設けられ、その玄関４０ａとカーポートスペースＫとの間に連絡通路３４が設けられ、その連絡通路３４に連絡通路３４を開閉する第２の玄関扉３０が設けられている構造とした。【選択図】　　　図１
2004060426.tif 000002
【特許請求の範囲】
【請求項１】
上階と下階を有する建物の前記上階の直下に設けられたカーポートスペースであって、前記上階の外壁のうち、前記カーポートスペース上の外壁部分が張り出し外壁に形成され、前記下階の外壁のうち、前記張り出し外壁に対応する外壁部分が引き込み外壁に形成されていることを特徴とするカーポート付き住宅。
【請求項２】
請求項１記載のカーポート付き住宅において、前記張り出し外壁および引き込み外壁は、建物の外壁の隣り合う二つの角部の間に設けられていることを特徴とするカーポート付き住宅。
【請求項３】
請求項１記載のカーポート付き住宅において、前記建物は、上下階に積層された建物ユニットを複数個組み合わせて形成されるユニット式建物であって、前記建物ユニット同士は互いに所定の間隔を離して配置され、その間隔部分には前記建物ユニット間をそれぞれ接続する複数の接続梁が設けられ、前記張り出し外壁及び引き込み外壁は、前記間隔部分に設けられていることを特徴とするカーポート付き住宅。
【請求項４】
請求項１記載のカーポート付き住宅において、前記建物の下階の、前記カーポートスペースに隣接した部分にリビングやダイニング等の共用居住空間が配置されていることを特徴とするカーポート付き住宅。
【請求項５】
請求項１記載のカーポート付き住宅において、前記張り出し外壁および引き込み外壁の張り出し寸法および引き込み寸法は、それそれ１ｍ前後であることを特徴とするカーポート付き住宅。
【請求項６】
請求項１記載のカーポート付き住宅において、前記カーポートスペースの外側に樹木を有する庭が設けられていることを特徴とするカーポート付き住宅。
【請求項７】
上階と下階を有する建物の前記上階の直下に設けられたカーポートスペースであって、前記上階の外壁のうち、前記カーポートスペース上の外壁部分が張り出し外壁に形成され、前記下階の外壁のうち、前記張り出し外壁に対応する外壁部分が引き込み外壁に形成され、前記カーポートスペースに隣接して第１の玄関扉を備えた玄関が設けられ、その玄関と前記カーポートスペースとの間に連絡通路が設けられ、その連絡通路に連絡通路を開閉する第２の玄関扉が設けられていることを特徴とするカーポート付き住宅。
【請求項８】
請求項７記載のカーポート付き住宅において、前記第２の玄関扉は左右に扉が設けられ、その左右の扉のうち、何れか一方が開閉可能であることを特徴とするカーポート付き住宅。
【請求項９】
請求項７記載のカーポート付き住宅において、前記第２の扉は、千鳥格子状に複数の開口部を有することを特徴とするカーポート付き住宅。
【請求項１０】
請求項９記載のカーポート付き住宅において、前記開口部の一部が閉じられていることを特徴とするカーポート付き住宅。
【発明の詳細な説明】
【０００１】
【発明の属する技術分野】
本発明は、カーポート付き住宅に関し、特にカーポートスペースを効率よく利用することで居住性を向上させたカーポート付き住宅に関する。
【０００２】
【背景の技術】
住宅等の建物に隣接させて設けられる屋根付きのカーポートとしては、一般に、以下のような種類がある。
【０００３】
第一は、鋼板や耐候性樹脂板などからなる屋根材を鋼材やアルミニウム材などからなる支柱および屋根フレームで支持し、この屋根材より駐車空間を被うようにしたカーポートで、通常は、建物本体から構造的に独立した単独の構築物として設置される（例えば、特許文献１参照）。
【０００４】
第二は、建物の外側に庇を延設し、その庇の下方を駐車空間とするカーポートで、建物の外側に張り出した庇の荷重を支持するために、庇の先端部に支柱や壁状の構造物を立設するか、あるいは庇の先端部付近を外壁の上部から斜めに懸吊する、という構造が採用される（例えば、特許文献２参照。）。
【０００５】
第三は、建物の２階部分を１階部分の上方に張り出させてオーバーハング部を形成し、このオーバーハング部の下方を駐車空間とするカーポートである。ただし、住宅等の建物に採用される一般的な建物構造では、駐車可能スペースに相当する大きさのオーバーハング部を無柱で支持するのが構造的に厳しいため、通常は、オーバーハング部の先端部付近に独立柱や構造壁が立設される（例えば、特許文献３。）。
【０００６】
【特許文献１】
特開２００１−２６２８４９
【特許文献２】
特開平１１−２３６７７２
【特許文献３】
特開平９−２４２３５８
【０００７】
【発明が解決しようとする課題】
しかしながら、第一のカーポートによれば、その素材や構造が建物本体とは異質なものであるため、建物本体とカーポートとの外観的な一体感が得られにくく、カーポートの存在感も軽薄あるいは貧相な印象になりがちであった。また、第二のカーポートによれば、建物の外側に張り出した庇の先端部を支持する支柱や壁状の構造物、あるいは外壁から懸吊する斜材などの構造材が、建物本体の外観に違和感を与えて建物本体のデザインが損なわれることがあった。さらに、支柱や壁状の構造物が車両の出し入れや乗降の際に邪魔になるという不便もあった。
【０００８】
第三のカーポートによれば、建物本体とカーポートとの外観的な一体感は得られやすいが、建物に大きなオーバーハング部を形成するため建物全体の構造的なバランスが損なわれやすく、オーバーハング部を支持する柱や壁も重厚になるため、駐車空間の使い勝手がさらに窮屈になるという不便もあった。
【０００９】
また、建物に隣接してカーポートを設けた住宅において、建物の居住性を向上させるため、１階居室空間の壁一面もしくは一部を大きな窓で形成している建物が広く見受けられる。通常、１階居室空間はリビングやダイニングを配置していることが多いので、居室内に採光を十分に取り入れたいことが大きな理由とされている。しかし、壁一面もしくは一部を大きな窓で形成すると、隣接した建物や通行人からの視線に常に配慮しなければならないという問題があった。
【００１０】
一方、近年、増加傾向にある犯罪から住宅内の財産等を守るために、住宅セキュリティの向上が望まれている。この住宅セキュリティには住宅内に防犯センサー等を設置し、犯罪を最小限に防ぐことを目的とするセキュリティシステムを導入する方法などが一般的である。しかしながら、セキュリティシステムがある場合でも、住宅構造によっては容易に侵入されてしまう恐れがあった。したがって、住宅は泥棒などの侵入者が侵入し難い住宅構造であることが望ましい。
【００１１】
本発明は、利便性およびデザイン性に優れ、さらに防犯機能と居住性を向上させることができる、カーポート付き住宅を提供することにある。
【００１２】
【課題を解決するための手段】
本発明は、上階と下階を有する建物の上階の直下に設けられたカーポートスペースであって、上階の外壁のうち、カーポートスペース上の外壁部分が張り出し外壁に形成され、下階の外壁のうち、張り出し外壁に対応する外壁部分が引き込み外壁に形成されている構造とした。
【００１３】
このような本発明によれば、上階の外壁の外壁部分が張り出し外壁に形成され、下階の外壁の張り出し外壁に対応する外壁部分を引き込み外壁に形成することで、張り出し外壁の張り出し寸法を実質的に半分にすることができる。これにより支柱の存在しない使い勝手の優れたカーポートスペースを形成することができる。また、建物と一体構造となっていることで、建物と調和し、デザイン性にも優れている。
【００１４】
前記張り出し外壁および引き込み外壁は、建物の外壁の隣り合う二つの角部の間に設けられていることが望ましい。このように構成した場合、隣接する建物および外部から居室空間に対して、左右からの視界を遮ることが可能となる。すなわち、カーポートスペースは外壁のほぼ中間部に位置しており、建物全体としては、カーポートスペースが引き込まれている構造となっているため、居室空間に対しての目隠し作用が効果的になる。
【００１５】
前記建物は、上下階に積層された建物ユニットを複数個組み合わせて形成されるユニット式建物であって、建物ユニット同士は互いに所定の間隔を離して配置され、その間隔部分には建物ユニット間をそれぞれ接続する複数の接続梁が設けられ、張り出し外壁及び引き込み外壁は、間隔部分に設けられていることが望ましい。このように構成した場合、建物ユニットと張り出し外壁および引き込み外壁の施工が容易で、しかも建物ユニットおよび接続梁を利用することで張り出し部分の強度も十分に確保することができる。
【００１６】
前記カーポートスペースに隣接した部分にリビングやダイニング等の共用居住空間が配置されていることが望ましい。このように配置した場合、リビングやダイニング等を配置した居室空間の壁一面または一部に、大きな窓を配置した際にも隣接する建物および外部から視線を遮ることが可能である。すなわち、採光を十分に取り入れることが可能な大きな窓を配置しても、窓部分が引き込まれた形態となるので、外部等からの視線を気にせずに、快適に過ごすことができ、居住性が向上する。
【００１７】
前記張り出し外壁および引き込み外壁の張り出し寸法および引き込み寸法は、それそれ１ｍ前後であることが望ましい。このようにした場合、建物のバランスが安定し、強度が向上する。つまり、張り出し外壁および引き込み外壁の張り出し寸法および引き込み寸法がどちらかに偏ることなく、ほぼ同じ寸法（１ｍ前後）とすることで、建物全体のバランスを保ち強固な構造とすることができる。また、上方からの視界を効果的に遮り、カーポート自体のスペースも十分に保つことができる。さらにバランスが保たれることでデザイン性も良好となる。
【００１８】
前記カーポートスペースの外側に樹木を有する庭が設けられていることが望ましい。このように配置した場合、隣接する建物および外部から視線をより効果的に遮ることできる。特に、隣接する建物の２階もしくは３階などの上方からの視線や居室空間から見て正面方向からの視線には有効に作用する。
【００１９】
上階と下階を有する建物の上階の直下に設けられたカーポートスペースであって、上階の外壁のうち、カーポートスペース上の外壁部分が張り出し外壁に形成され、下階の外壁のうち、張り出し外壁に対応する外壁部分が引き込み外壁に形成され、カーポートスペースに隣接して第１の玄関扉を備えた玄関が設けられ、その玄関とカーポートスペースとの間に連絡通路が設けられ、その連絡通路に連絡通路を開閉する第２の玄関扉が設けられていることが望ましい。
【００２０】
このように形成した場合、防犯効果および利便性に優れた住宅とすることができる。つまり、玄関には居室内へ通じる本物の第１の玄関扉と、カーポートスペースへ連絡され、ダミーである第２の玄関扉が設けられており、これら２つの玄関扉が隣接して配置されていることで、侵入者から侵入されにくい構造とすることができる。また、住人にとっては、カーポートスペースから第２の玄関扉を通ることで、第１の玄関扉から居室内に入ることが可能であるため利便性に優れている。さらに、来客者にとっては第２の玄関扉を開けるとカーポートスペースへと繋がってしまうので、驚嘆することになり、お互いが楽しめる住宅となっている。
【００２１】
前記第２の玄関扉は左右に扉が設けられ、その左右の扉のうち、何れか一方が開閉可能であることが望ましい。このように形成した場合、より防犯効果に優れた構造とすることができる。つまり、左右に配置されている２つの扉は、片側のみ開けることが可能になっているため、侵入者の侵入時間を多く要することができる。特に泥棒などの侵入者は、容易に侵入しやすい住宅に侵入することが多く、侵入時間の掛かる住宅はリスクが高いため侵入しないというデータがあり、防犯に非常に効果的である。
【００２２】
前記第２の扉は、千鳥格子状に複数の開口部を有することが望ましい。このように形成した場合、防犯およびデザイン性が良好となる。つまり、第２の扉の開口部からはカーポートスペースや周囲の壁面が見え、いかにも室内という雰囲気を醸しだしており、侵入者に居室内に入る本物の玄関扉と思わせることができる。また、住人にとっては採光性と統一感の高いデザイン性に優れたエクステリアとして楽しむことができる。
【００２３】
前記開口部の一部が閉じられていることが望ましい。このように形成した場合、より頑丈な扉を形成することができる。つまり、第２玄関扉は防犯およびデザイン性を向上させるため千鳥格子状に形成しているが、開口部の一部を閉じることで扉の強度を補強することができる。
【００２４】
【発明の実施の形態】
以下、本発明の実施の形態について、図面を参照して説明する。
図１は本発明に係るユニット式建物の断面図である。
この実施の形態では、本発明を２階建てユニット式建物に適用した例を示す。
【００２５】
図１〜３において、ユニット式建物１０は２階建ての建物であり、基礎１の上に建物本体３が固定され、この建物本体３の上部には勾配屋根２と開閉可能な天窓Ｍが配置されている。建物本体３は、間隔部分Ｌ１（後述する）をあけて両側に、上下２段に積層された建物ユニット２０が配置されている。
【００２６】
ユニット式建物１０の１階に配置された、建物ユニット２０ａと建物ユニット２０ｃの間隔Ｌ１には複数の接続梁（図示しない）によってユニット間を接続して組み立てられている。この１階の間隔部分Ｌ１にはカーポートスペースＫが設けられている。
【００２７】
カーポートスペースＫは、奥行きが約２ｍ、間口が約６ｍの平面形状に形成され、１階に配置された建物ユニット２０ａおよび建物ユニット２０ｃの間隔部分Ｌ１に配置された外壁部分が引き込まれた引き込み外壁４と、２階に配置された建物ユニット２０ｅおよび建物ユニット２０ｇの間隔部分Ｌ１に配置された外壁部分が張り出した張り出し外壁５によって構成されている。
【００２８】
引き込み外壁４は張り出し外壁５の直下に位置し、引き込み外壁４の引き込み寸法Ａと張り出し外壁５の張り出し寸法Ｂは、それぞれ約１ｍ前後となっている。したがって、従来のような上階の一部分のみをオーバーハングするような構造と比較すると、張り出し外壁５の張り出し寸法Ｂを実質的に半分にすることができるうえ、ユニット式建物１０全体のバランスに優れ、支柱を必要としないため車両を駐車する際の使い勝手が良好となる。
【００２９】
引き込み外壁４には壁一面を覆うように、幅が約６ｍのフルフラットサッシ４４が配置され、室内に十分に採光を取り込める構造となっている。また、１階にはダイニングＤおよびリビングルームＲが配置され、食事や娯楽等を楽しむ部屋となっているが、引き込み外壁４が室内側に約１ｍ引き込まれているため、外部から室内に向けられる、特に左右からの視線が効果的に遮られる。これにより、居住性の向上を図ることが可能である。
【００３０】
２階に配置された張り出し外壁５は、カーポートスペースＫの庇として形成されている。この張り出し外壁５は、複数の接続梁（図示しない）を間隔部分Ｌ１の奥行き方向に延長させて形成され、外部に突出している。したがって、外部から１階の室内に向けられる、特に上方からの視線を遮ることができる。また、複数の接続梁を延長させることで、建物ユニット２０と張り出し外壁５および引き込み外壁４の施工が容易となる。しかも建物ユニット２０および接続梁を利用することで張り出し部分の強度も十分に確保することができるうえ、居室空間をより広く利用することができる。
【００３１】
カーポートスペースＫの外側には庭Ｎが設けられている。庭Ｎには樹木（図示しない）等の庭木が植栽されており、室内から樹木の観葉を楽しむとともに、外部から１階の室内に向けられる、特に居室空間（ダイニングＤ等）から見て正面方向からの視線をより効果的に遮ることができる。
【００３２】
図２には、ユニット式建物１０の１階平面間取図を示している。ユニット式建物１０の西側の建物ユニット２０ａには、玄関４０ａおよび自動玄関扉４０が配置されている。自動玄関扉４０に隣接して、ダミー玄関扉３０が配置されている。図４〜６にダミー玄関扉３０の構造を示す。
【００３３】
ダミー玄関扉３０は、左右に配置された２枚の扉からなり、それぞれ高さが約２．５ｍ，幅が約０．８ｍの木製で形成され、上下をピボットヒンジ（図示しない）で壁面に固定している。左側に配置された左扉３１は、開閉可能な構造となっており、手前側の玄関４０ａおよび奥側のカーポートスペースＫから連絡通路３４を通じて出入りすることができる。右側に配置された右扉３２は、引き込み外壁４の側面に面しており、開閉できない構造となっている。左扉３１および右扉３２は、千鳥格子状に複数の開口部３３が設けられ、左扉３１の開口部３３からはカーポートスペースＫや対向する壁３５が見える位置に配置されている。
【００３４】
図６にダミー玄関扉３０の組み立て方法の例を示す。複数の横芯材３７および縦芯材３８は、それぞれ等間隔に間隔をあけて配置する。横芯材３７および縦芯材３８に設けられている凹部３９は同寸法に形成されており、凹部３９を互いに嵌合させることで、横芯材３７および縦芯材３８を密着して接合する。接合方法としては、接着剤や釘等を使用する。このように横芯材３７および縦芯材３８を格子状に組み合わせて接合することで、開口部３３が形成される。
【００３５】
したがって、防犯効果および利便性、デザイン性に優れた構造を形成できる。つまり、玄関４０ａには居室内へ通じる本物の自動玄関扉４０と、カーポートスペースＫへ連絡され、ダミーとなるダミー玄関扉３０が設けられており、これら２つの玄関扉が隣接して配置されていることで、侵入者から侵入されにくい構造とすることができる。特に、左扉３１のみ開閉可能になっていることで、侵入者の侵入時間を多く要することができる。泥棒などは、容易に侵入しやすい住宅に侵入することが多く、侵入時間の掛かる住宅はリスクが高いため侵入しないというデータがあるため、防犯に非常に効果的である。また、住人にとっては、カーポートスペースＫから連絡通路３４を通りぬけることで、自動玄関扉４０から居室内に入ることが可能であるため利便性にも優れている。
【００３６】
さらに、ダミー玄関扉３０の開口部３３からはカーポートスペースＫや壁３５、および引き込み外壁４が見える位置に配置されているため、いかにも室内という雰囲気を醸しだしており、侵入者に居室内に入る本物の玄関扉と思わせることができる。
【００３７】
また、住人にとっては採光性と統一感の高いデザイン性に優れたエクステリアとして楽しむことや、来客者がダミー玄関扉３０を開けるとカーポートスペースＫへと繋がってしまうので、驚嘆することなど住む人達にとっても楽しめる住宅となっている。
【００３８】
図５に示すのはダミー玄関扉３０を閉めた状態を示している。左扉３１および右扉３２の開口部３３のうち、天井側と床側の隅部に位置する閉口部３６は閉じた形態となっている。したがって、ダミー玄関扉３０をより頑丈な扉とすることができる。つまり、ダミー玄関扉３０は防犯およびデザイン性を向上させるため千鳥格子状に形成しているが、閉口部３６を設けることで扉の固定部材であるピボットヒンジ（図示しない）の強度を補強することができる。
【００３９】
再度、図２において、自動玄関扉４０の横に壁厚を利用し、乾燥および脱臭機能を備えた、玄関収納４１が配置されている。建物ユニット２０ｂには、レンガ暖炉４２と緩勾配階段４３が備えられている。ユニット式建物１０の南側には、幅が約６ｍのフルフラットサッシ４４と可動間仕切４４ａが配置され、可動間仕切４４ａは壁に沿って自在に可動させることが可能である。また、外側にインナーテラス４５が設けられている。インナーテラス４５にはジャグジーバス４５ａが配置されている。
【００４０】
ユニット式建物１０の東側の建物ユニット２０ｃは、可動キッチン４６とシステムキッチン４６ａが備えられている。可動キッチン４６は移動可能で、ダイニングＤや庭Ｎへ料理等を運ぶことができる。建物ユニット２０ｄには、トイレ４７とミラー戸４７ａが備えられ、その先に３畳のプライベートスペース４８が配置されている。このプライベートスペース４８は、室内にカンヌキがあるため、非常時における避難場所としても利用することができる。
【００４１】
また、リビングルームＲおよびダイニングＤで形成される１階床は全てフラット床になっているため、バリアフリーに十分配慮された構造となっている。このユニット式建物１０は、人感知センサーにより照明が操作される構造となっているため、照明スイッチを必要としない省エネ住宅である。さらに、玄関４０ａ周辺を映し出す防犯カメラや人感知センサーを備え、インターホンには携帯電話等の携帯端末を使用し、住人の区別を行うことが可能なため、防犯に非常に優れた住宅構造となっている。
【００４２】
図３には、ユニット式建物１０の２階平面間取図を示している。ユニット式建物１０の西側の建物ユニット２０ｅには、システムクローゼット６０が配置されている。システムクローゼット６０は、内部で不自由なく着替え等を行えるようなスペースと人感知照明６０ａが備えられている。
【００４３】
建物ユニット２０ｆには、１階から続く緩勾配階段４３と、ロボットリフト６１およびロボットが配置されている。ロボットは、上部吹き抜けＪを通すロボットリフト６１を使用し、１階と２階を往来することができ、料理等、必要なものを運ぶことができる。従って、住人のなかに病気や介護等が必要な場合においても、利便性に優れている。
【００４４】
ユニット式建物１０の南側には、インナーバルコニー６２が配置され、建物ユニット２０ｆは、洗面所６３およびユニットバス６４が備えられている。建物ユニット２０ｇには、トイレ６５と壁収納６６と家事コーナー６７が備えられている。壁収納６６は大型で壁一面に配置されている。
【００４５】
寝室Ｈと寝室Ｉの上部には吹き抜けＦとなっており、寝室Ｈと寝室Ｉの間には、可動間仕切黒板６８が配置されている。可動間仕切黒板６８は、仕切り壁であるとともに、子供が自由に書くことができる黒板となっている。寝室Ｈは子供部屋となっており、天井の一部は吹き抜け勾配天井で形成され、梯子または非常用の昇降棒で小屋裏（図示しない）との往来が可能となっている。寝室Ｉの上部には天窓Ｍが配置され、天窓Ｍから経由した光が寝室Ｉ内に射し込まれ、明るく大空間の快適ルームとなっている。
【００４６】
上述した従来例ではユニット式建物を適用した例を用いたが、他の建物においても利用することができる。例えば、パネル工法住宅などのユニットを使用しない建物でも、ほぼ同様の効果がある。
【００４７】
【発明の効果】
以上のように、本発明によれば、利便性およびデザイン性に優れ、さらに防犯機能と居住性を向上させることができる。
【図面の簡単な説明】
【図１】本発明の実施形態に係るユニット式建物を示す断面図である。
【図２】本発明の実施形態に係るユニット式建物の１階の平面間取図である。
【図３】本発明の実施形態に係るユニット式建物の２階の平面間取図である。
【図４】本発明の実施形態に係るダミー玄関扉（開状態）の構造を示す斜視図である。
【図５】本発明の実施形態に係るダミー玄関扉（閉状態）の構造を示す斜視図である。
【図６】本発明の実施形態に係るダミー玄関扉の組み立て構造を示す斜視図である。
【符号の説明】
１　　　基礎
２　　　勾配屋根
３　　　建物本体
４　　　引き込み外壁
５　　　張り出し外壁
１０　　ユニット式建物
２０　　（ａ〜ｈ）　建物ユニット
３０　　ダミー玄関扉
３１　　左扉
３２　　右扉
３３　　開口部
３４　　連絡通路
３５　　壁
３６　　閉口部
３７　　横芯材
３８　　縦芯材
３９　　凹部
４０　　自動玄関扉
４０ａ　玄関
４１　　玄関収納
４２　　レンガ暖炉
４３　　緩勾配階段
４４　　フルフラットサッシ
４４ａ　可動間仕切
４５　　インナーテラス
４５ａ　ジャグジーバス
４６　　可動キッチン
４６ａ　システムキッチン
４７，６５　トイレ
４７ａ　ミラー戸
４８　　プライベートスペース
６０　　システムクローゼット
６０ａ　人感知照明
６１　　ロボットリフト
６２　　インナーバルコニー
６３　　洗面所
６４　　ユニットバス
６６　　壁収納
６７　　家事コーナー
６８　　可動間仕切黒板
Ａ　　　引き込み寸法
Ｂ　　　張り出し寸法
Ｄ　　　ダイニング
Ｆ　　　吹き抜け
Ｈ、Ｉ　寝室
Ｊ　　　上部吹き抜け
Ｋ　　　カーポートスペース
Ｌ１　　間隔部分
Ｍ　　　天窓
Ｎ　　　庭
Ｒ　　　リビングルーム
【図１】
2004060426.tif 000003
【図２】
2004060426.tif 000004
【図３】
2004060426.tif 000005
【図４】
2004060426.tif 000006
【図５】
2004060426.tif 000007
【図６】
2004060426.tif 000008